(57)【要約】【課題】従来の加湿装置では、加湿の効果を高めることが困難である。【解決手段】導入された空気を排気する排気孔１９を有する筐体３と、筐体３内に設けられた水蒸気発生部と、筐体３内で排気孔１９に対面し、加湿された空気を排気孔１９に向けて送風する送風ファン１０と、送風ファン１０と排気孔１９との間で送風ファン１０に重なる位置に設けられた仕切板３１と、仕切板３１と内壁３５との間に設けられたガイド板３３と、排気孔１９を塞いだ状態で設けられたヘパフィルター２５と、を有する、ことを特徴とする加湿装置。【選択図】図１
2013036633.tif 000002
【特許請求の範囲】
【請求項１】
空気を導入する導入口、及び導入された前記空気を排出する排出口を有する容器と、
前記容器内に設けられ、水蒸気を発生させる水蒸気発生部と、
前記容器内で前記排出口に対面する位置に設けられ、加湿された前記空気を前記排出口に向けて送風するプロペラファンと、
前記プロペラファンと前記排出口との間に設けられ、前記排出口側から前記プロペラファンを見たときに、前記プロペラファンに重なり、且つ、前記容器の内壁との間に隙間を有した状態で設けられた受け部材と、
前記排出口と前記受け部材との間、且つ、前記受け部材と前記容器の前記内壁との間に設けられたガイド部材と、
前記排出口を塞いだ状態で設けられたフィルターと、を有する、
ことを特徴とする加湿装置。
【請求項２】
前記排出口側から前記プロペラファンを見たとき、前記受け部材は、前記プロペラファンを覆う大きさを有している、
ことを特徴とする請求項１に記載の加湿装置。
【請求項３】
前記ガイド部材が、複数の箇所に設けられている、
ことを特徴とする請求項１又は２に記載の加湿装置。
【請求項４】
前記ガイド部材が、前記容器の内周にわたって設けられている、
ことを特徴とする請求項１又は２に記載の加湿装置。
【請求項５】
前記フィルターは、ヘパフィルターである、
ことを特徴とする請求項１乃至４のいずれか一項に記載の加湿装置。
【請求項６】
前記水蒸気発生部と前記プロペラファンとの間に、フィルターが設けられている、
ことを特徴とする請求項１乃至５のいずれか一項に記載の加湿装置。
【請求項７】
前記導入口にフィルターが設けられている、
ことを特徴とする請求項１乃至６のいずれか一項に記載の加湿装置。
【請求項８】
前記受け部材は、前記プロペラファンからの送風を受ける、
ことを特徴とする請求項１乃至７のいずれか一項に記載の加湿装置。
【請求項９】
前記ガイド部材は、前記受け部材から前記内壁に向かう送風の少なくとも一部を、前記受け部材と前記排出口との間、且つ、前記プロペラファンの回転中心側に向けてガイドする、
ことを特徴とする請求項１乃至８のいずれか一項に記載の加湿装置。
【発明の詳細な説明】
【技術分野】
【０００１】
本発明は、加湿装置等に関する。
【背景技術】
【０００２】
従来から、吐出口（排気口）を有するケース（容器）内に、加湿された空気を吐出口に向けて送風する送風ファンが設けられた加湿装置が知られている（例えば、特許文献１参照）。
【先行技術文献】
【特許文献】
【０００３】
【特許文献１】特開２０１０−１９６９５９号公報
【発明の概要】
【発明が解決しようとする課題】
【０００４】
上記特許文献１に記載された加湿装置によれば、ケース内の送風ファンが吐出口に向けて送風するので、加湿された空気が吐出口からケースの外に吐出される。
この特許文献１では、送風ファンとしてプロペラ様の送風ファン（以下、プロペラファンと呼ぶ）が描かれている。プロペラファンによる送風では、プロペラファンの回転中心部と回転縁部とで風量に差異が発生しやすい。このため、従来の加湿装置では、排気口において、プロペラファンの回転中心部に対面する部位と、プロペラファンの回転縁部に対面する部位とで風量の差異が発生しやすい。このため、従来の加湿装置では、排気口の部位によって排出される空気の湿度に差異が発生しやすい。
このように、従来の加湿装置では、加湿の効果を高めることが困難であるという課題がある。
【課題を解決するための手段】
【０００５】
本発明は、上述の課題の少なくとも一部を解決するためになされたものであり、以下の形態又は適用例として実現され得る。
【０００６】
［適用例１］空気を導入する導入口、及び導入された前記空気を排出する排出口を有する容器と、前記容器内に設けられ、水蒸気を発生させる水蒸気発生部と、前記容器内で前記排出口に対面する位置に設けられ、加湿された前記空気を前記排出口に向けて送風するプロペラファンと、前記プロペラファンと前記排出口との間に設けられ、前記排出口側から前記プロペラファンを見たときに、前記プロペラファンに重なり、且つ、前記容器の内壁との間に隙間を有した状態で設けられた受け部材と、前記排出口と前記受け部材との間、且つ、前記受け部材と前記容器の前記内壁との間に設けられたガイド部材と、前記排出口を塞いだ状態で設けられたフィルターと、を有する、ことを特徴とする加湿装置。
【０００７】
この適用例の加湿装置は、容器と、水蒸気発生部と、プロペラファンと、受け部材と、ガイド部材と、フィルターと、を有する。
容器は、空気を導入する導入口と、導入された空気を排出する排出口と、を有する。
水蒸気発生部は、容器内に設けられており、水蒸気を発生させる。
プロペラファンは、容器内で排出口に対面する位置に設けられている。プロペラファンは、加湿された空気を排出口に向けて送風する。
受け部材は、プロペラファンと排出口との間に設けられており、排出口側からプロペラファンを見たときに、プロペラファンに重なっている。受け部材は、容器の内壁との間に隙間を有した状態で設けられている。
ガイド部材は、排出口と受け部材との間、且つ、受け部材と容器の内壁との間に設けられている。
フィルターは、排出口を塞いだ状態で設けられている。
この加湿装置では、プロペラファンからの送風の少なくとも一部は、受け部材に当たる。受け部材に当たった送風の少なくとも一部は、容器の内壁に向かう。受け部材から内壁に向かう送風の少なくとも一部は、ガイド部材に当たる。そして、ガイド部材に当たった空気は、フィルターを介して排出口から排出される。つまり、この加湿装置では、プロペラファンからの送風が、受け部材や、ガイド部材、フィルターを介して排出口から排出される。
これにより、プロペラファンからの送風が直接的に排出口から容器の外に出ることを避けやすくすることができる。このため、排出口において、プロペラファンの回転中心部に対面する部位と、プロペラファンの回転縁部に対面する部位との間の風量の差異を軽減することができる。この結果、排出口にわたって排出される風量を均一にしやすくすることができる。これにより、排出口から排出される空気の湿度を、排出口の全体にわたって均一にしやすくすることができる。よって、加湿の効果を高めやすくすることができる。
【０００８】
［適用例２］上記の加湿装置であって、前記排出口側から前記プロペラファンを見たとき、前記受け部材は、前記プロペラファンを覆う大きさを有している、ことを特徴とする加湿装置。
【０００９】
この適用例では、受け部材がプロペラファンを覆う大きさを有しているので、プロペラファンからの送風が直接的に排出口から容器の外に出ることを一層避けやすくすることができる。この結果、排出口にわたって排出される風量を一層均一にしやすくすることができる。これにより、排出口から排出される空気の湿度を、排出口にわたって一層均一にしやすくすることができる。
【００１０】
［適用例３］上記の加湿装置であって、前記ガイド部材が、複数の箇所に設けられている、ことを特徴とする加湿装置。
【００１１】
この適用例では、ガイド部材が複数の箇所に設けられているので、排出口の全体にわたって排出される風量を一層均一にしやすくすることができる。これにより、排出口から排出される空気の湿度を、排出口の全体にわたって一層均一にしやすくすることができる。
【００１２】
［適用例４］上記の加湿装置であって、前記ガイド部材が、前記容器の内周にわたって設けられている、ことを特徴とする加湿装置。
【００１３】
この適用例では、ガイド部材が容器の内周にわたって設けられているので、排出口の全体にわたって排出される風量を一層均一にしやすくすることができる。これにより、排出口から排出される空気の湿度を、排出口の全体にわたって一層均一にしやすくすることができる。
【００１４】
［適用例５］上記の加湿装置であって、前記フィルターは、ヘパフィルターである、ことを特徴とする加湿装置。
【００１５】
この適用例では、フィルターがヘパフィルターであるので、排出口から排出される空気の清浄度を向上させやすくすることができる。
【００１６】
［適用例６］上記の加湿装置であって、前記水蒸気発生部と前記プロペラファンとの間に、フィルターが設けられている、ことを特徴とする加湿装置。
【００１７】
この適用例では、水蒸気発生部とプロペラファンとの間にフィルターが設けられているので、排出口から排出される空気の清浄度を向上させやすくすることができる。
【００１８】
［適用例７］上記の加湿装置であって、前記導入口にフィルターが設けられている、ことを特徴とする加湿装置。
【００１９】
この適用例では、導入口にフィルターが設けられているので、排出口から排出される空気の清浄度を向上させやすくすることができる。
【００２０】
［適用例８］上記の加湿装置であって、前記受け部材は、前記プロペラファンからの送風を受ける、ことを特徴とする加湿装置。
【００２１】
［適用例９］上記の加湿装置であって、前記ガイド部材は、前記受け部材から前記内壁に向かう送風の少なくとも一部を、前記受け部材と前記排出口との間、且つ、前記プロペラファンの回転中心側に向けてガイドする、ことを特徴とする加湿装置。
【図面の簡単な説明】
【００２２】
【図１】本実施形態における加湿装置の概略の構成を説明する図。
【図２】図１中のＡ−Ａ線における断面図。
【図３】本実施形態における加湿装置の効果を説明する図。
【発明を実施するための形態】
【００２３】
図面を参照しながら、実施形態について説明する。
本実施形態における加湿装置１は、図１に示すように、筐体３と、給水タンク５と、加湿ユニット７と、送風機９と、を有している。給水タンク５と、加湿ユニット７と、送風機９とは、それぞれ、筐体３内に収容されている。
給水タンク５には、水６が蓄えられる。給水タンク５に蓄えられた水６は、加湿ユニット７に供給される。
加湿ユニット７は、給水タンク５から供給される水６を蒸気８に変換する。
送風機９は、送風ファン１０を有している。送風機９は、送風ファン１０を回転駆動することによって、送風することができる。なお、本実施形態では、送風ファン１０として、プロペラファンが採用されている。
【００２４】
筐体３内は、加湿室１１と、送風室１３との２つの部屋に仕切られている。加湿室１１と送風室１３との間は、通気孔１５を介して連通している。加湿室１１には、吸気孔１７が設けられている。加湿室１１は、吸気孔１７を介して筐体３の外に連通している。また、送風室１３には、排気孔１９が設けられている。送風室１３は、排気孔１９を介して筐体３の外に連通している。
給水タンク５及び加湿ユニット７は、加湿室１１に収容されている。送風機９は、送風室１３に収容されている。
【００２５】
吸気孔１７には、プレフィルター２１が設けられている。吸気孔１７は、プレフィルター２１によって覆われている。
通気孔１５には、プレフィルター２３が設けられている。通気孔１５は、プレフィルター２３によって覆われている。
排気孔１９には、ヘパフィルター２５が設けられている。排気孔１９は、ヘパフィルター２５によって覆われている。
加湿装置１では、送風機９は、送風室１３内から排気孔１９に向けて送風する。これにより、送風室１３内の気体（本実施形態では、空気）が、ヘパ（ＨＥＰＡ（High Efficiency Particulate Air）フィルター２５を通して排気孔１９から筐体３の外に排気される。
【００２６】
このとき、排気孔１９からの排気にともなって、送風室１３内の気圧が、筐体３の外の気圧よりも低くなる。このため、排気孔１９からの排気にともなって、加湿室１１内の気体が、プレフィルター２３を通して通気孔１５から送風室１３内に流入する。
加湿室１１から送風室１３への気体の流入にともなって、加湿室１１内の気圧が、筐体３の外の気圧よりも低くなる。このため、加湿室１１から送風室１３への気体の流入にともなって、筐体３の外の気体が、プレフィルター２１を通して吸気孔１７から加湿室１１内に流入する。
つまり、加湿装置１では、送風機９を駆動すると、筐体３外の気体が吸気孔１７から加湿室１１内に吸気され、加湿室１１内に吸気された気体が通気孔１５及び送風室１３をこの順に経て排気孔１９から筐体３外に排気される。
【００２７】
筐体３外の気体が吸気孔１７から加湿室１１内に吸気されるとき、筐体３外の気体は、プレフィルター２１によって浄化されてから加湿室１１内に吸気される。
また、加湿室１１内の気体が通気孔１５から送風室１３内に流入するとき、加湿室１１内の気体は、プレフィルター２３によって浄化されてから送風室１３内に流入する。
同様に、送風室１３内の気体が排気孔１９から筐体３外に排気されるとき、送風室１３内の気体は、ヘパフィルター２５によって浄化されてから筐体３外に排気される。
上記により、加湿装置１では、清浄な気体を筐体３の外に送り出すことができる。このため、加湿装置１は、所謂ファンフィルターユニット（ＦＦＵ）としての機能を有する。
【００２８】
ここで、加湿装置１では、加湿室１１内に加湿ユニット７が設けられている。
加湿ユニット７は、ヒーター２７を有している。このヒーター２７は、電力の供給を受けて発熱する。加湿ユニット７は、ヒーター２７の熱によって、水６から蒸気８を生成する。
加湿ユニット７によって生成された蒸気８は、加湿室１１内において、筐体３外から加湿室１１内に吸気された気体に混合する。つまり、加湿装置１では、加湿室１１内において、気体が加湿される。加湿室１１内で加湿された気体は、通気孔１５を介して送風室１３内に流入してから、排気孔１９から筐体３外に排気される。
上記により、加湿装置１では、加湿された清浄な気体を筐体３の外に送り出すことができる。このため、加湿装置１は、周囲環境における静電気の発生を軽減する機能も有する。
【００２９】
ここで、本実施形態では、図１に示すように、送風室１３内に、仕切板３１と、複数のガイド板３３と、が設けられている。
仕切板３１は、送風機９と排気孔１９との間に設けられている。仕切板３１と送風機９との間には、隙間が設けられている。
複数のガイド板３３は、それぞれ、筐体３の内壁３５に設けられている。各ガイド板３３は、内壁３５から内側、すなわち送風ファン１０の回転中心３７側に向かって延在している。各ガイド板３３は、内壁３５から内側に向かうに従って排気孔１９に近づく方向に傾斜した状態で設けられている。このため、複数のガイド板３３は、それぞれ、仕切板３１と排気孔１９との間に位置しているとみなされ得る。なお、各ガイド板３３と仕切板３１との間には、隙間が設けられている。
【００３０】
仕切板３１は、図１中のＡ−Ａ線における断面図である図２に示すように、送風機９の送風ファン１０を覆う大きさを有している。仕切板３１は、平面視で、送風ファン１０に重なる位置に設けられており、且つ送風ファン１０を覆う領域に設けられている。
仕切板３１と筐体３の内壁３５との間には、隙間が設けられている。このため、送風機９から仕切板３１に向けて送風された気体は、仕切板３１と内壁３５との間の隙間を通って、仕切板３１の排気孔１９（図１）側に流れ得る。
本実施形態では、複数のガイド板３３として、２つのガイド板３３が採用されている。２つのガイド板３３は、図２に示すように、送風ファン１０を挟んで互いに対峙する位置に設けられている。なお、本実施形態では、平面視で各ガイド板３３と仕切板３１との間に、隙間が設けられている。
【００３１】
上記の構成を有する加湿装置１では、送風機９の送風ファン１０を駆動すると、送風ファン１０からの送風の少なくとも一部は、仕切板３１に当たる。仕切板３１に当たった送風は、図１に示すように、送風ファン１０の回転中心３７から外側に、すなわち仕切板３１から内壁３５に向かう。仕切板３１から内壁３５に向かう送風の少なくとも一部は、２つのガイド板３３によって、仕切板３１の排気孔１９側に、且つ送風ファン１０の回転中心３７側に向かってガイドされる。
このように、加湿装置１では、送風ファン１０からの送風が、仕切板３１や、ガイド板３３、ヘパフィルター２５を介して排気孔１９から排出される。これにより、送風ファン１０からの送風が直接的に排気孔１９から筐体３の外に出ることを避けやすくすることができる。
【００３２】
ここで、送風ファン１０からの送風が直接的に排気孔１９から筐体３の外に出る構成では、図３（ａ）に示すように、排気孔１９の部位によって風圧３８に差異が発生しやすい。図３では、風圧３８の高さが矢印の長さで表現されている。図３では、風圧３８が高い部位ほど、矢印の長さが長くなっている。
送風ファン１０からの送風が直接的に排気孔１９から筐体３の外に出る構成では、送風ファン１０の回転中心３７に対面する部位と、送風ファン１０の回転縁部３９に対面する部位、すなわち回転中心３７よりも内壁３５側とで風圧３８に差異が発生しやすい。送風ファン１０からの送風が直接的に排気孔１９から筐体３の外に出る構成では、内壁３５側から送風ファン１０の回転中心３７側に近づくほど、風圧３８が低くなっていく傾向にある。
【００３３】
これに対し、本実施形態では、送風ファン１０からの送風が、仕切板３１や、ガイド板３３、ヘパフィルター２５を介して排気孔１９から排出されるので、送風ファン１０からの送風が直接的に排気孔１９から筐体３の外に出ることを避けやすくすることができる。この結果、本実施形態では、図３（ｂ）に示すように、排気孔１９において、送風ファン１０の回転中心３７に対面する部位と、送風ファン１０の回転縁部３９に対面する部位との間の風圧３８の差異を軽減することができる。これにより、排気孔１９から排気される風量を、排気孔１９にわたって均一にしやすくすることができる。このため、排気孔１９から排気される気体の湿度を、排気孔１９にわたって均一にしやすくすることができる。よって、加湿の効果を高めやすくすることができる。
【００３４】
本実施形態において、吸気孔１７が導入口に対応し、排気孔１９が排出口に対応し、筐体３が容器に対応し、加湿ユニット７が水蒸気発生部に対応し、送風ファン１０がプロペラファンに対応し、仕切板３１が受け部材に対応し、ガイド板３３がガイド部材に対応している。
本実施形態では、排気孔１９から排気される気体の湿度を、排気孔１９の全体にわたって均一にしやすくすることができるので、加湿の効果を高めやすくすることができる。
ここで、加湿装置１は、局所的に帯電を防止するための装置として活用され得る。加湿装置１を局所的な帯電防止を図る装置として活用する場合、排気孔１９から排気される気体の湿度が排気孔１９の全体にわたって均一であることが、帯電防止の観点から、理想的である。加湿装置１によれば、排気される気体の湿度を排気孔１９の全体にわたって均一にしやすくすることができるので、加湿装置１を局所的な帯電防止に使用するとき、帯電防止の効果を高めやすくすることができる。
【００３５】
なお、本実施形態では、送風ファン１０としてプロペラファンが採用されているが、送風ファン１０はこれに限定されず、例えば、シロッコファンなども採用され得る。
また、本実施形態では、２つのガイド板３３が採用されているが、ガイド板３３の個数は２つに限定されず、１つや３つ以上の任意の個数も採用され得る。
また、本実施形態では、複数のガイド板３３を内壁３５の内周において局所的に設けた構成が採用されている。しかしながら、ガイド板３３の構成は、これに限定されず、例えば、ガイド板３３を内壁３５の内周の全周にわたって設けた構成も採用され得る。
【符号の説明】
【００３６】
１…加湿装置、３…筐体、５…給水タンク、６…水、７…加湿ユニット、８…蒸気、９…送風機、１０…送風ファン、１１…加湿室、１３…送風室、１５…通気孔、１７…吸気孔、１９…排気孔、２１…プレフィルター、２３…プレフィルター、２５…ヘパフィルター、２７…ヒーター、３１…仕切板、３３…ガイド板、３５…内壁、３７…回転中心、３８…風圧、３９…回転縁部。
【図１】
2013036633.tif 000003
【図２】
2013036633.tif 000004
【図３】
2013036633.tif 000005